(57)【要約】【目的】視聴対象動画を最後まで視聴できるようにする。【構成】バッテリィにより駆動する携帯型端末装置から，そのバッテリィの残容量を示すデータ，視聴対象動画を特定するデータなどが送信され，受信回路21において受信される。視聴対象動画が動画データベース23から読み取られる。バッテリィの残容量にもとづいて，視聴対象動画が視聴できるように消費電力が抑えられるようなフレーム・レートが算出回路24において算出される。算出されたフレーム・レートとなるように，視聴対象動画が変換回路25において変換される。変換された視聴対象動画データが送信回路26によって端末装置に送信される。【選択図】図３
2009044585.tif 000002
【特許請求の範囲】
【請求項１】
動画送信装置とバッテリィによって駆動し，かつ表示装置が設けられている携帯型端末装置とを備えた動画送信システムにおいて，
上記携帯型端末装置が，
上記バッテリィの残容量を検出する残容量検出手段，
上記残容量検出手段によって検出された残容量を表す残容量データを上記動画送信装置に送信する残容量データ送信手段，および
視聴対象動画を特定する動画特定データを上記動画送信装置に送信する動画特定データ送信手段を備え，
上記動画送信装置が，
上記携帯型端末装置の上記残容量データ送信手段から送信された残容量データを受信する残容量データ受信手段，
上記携帯型端末装置の上記動画特定データ送信手段から送信された動画特定データを受信する動画特定データ受信手段，
上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定するデータ量決定手段，
上記データ量決定手段によって決定された単位時間当たりのデータ量をもつように上記視聴時間の上記視聴対象の動画を表す動画データを変換する変換手段，および
上記変換手段によって単位時間当たりのデータ量が変換された動画データを上記携帯型端末装置に送信する動画データ送信手段，
を備えた動画送信システム。
【請求項２】
上記携帯型端末装置は，
上記視聴対象動画の視聴時間を指定する指定手段，および
上記指定手段によって指定された視聴時間を表す指定視聴時間データを上記動画送信装置に送信する指定視聴時間データをさらに備え，
上記視聴対象動画の視聴時間は，
上記携帯型端末装置の上記指定視聴時間データ送信手段から送信された指定視聴時間データによって表される指定視聴時間，上記視聴対象動画の総再生時間またはあらかじめ定められている時間である，
請求項１に記載の動画送信システム。
【請求項３】
上記携帯型端末装置は，
バッテリィによって駆動可能なほか，交流電源によって駆動可能であり，
上記携帯型端末装置がバッテリィによって駆動している状態か交流電源によって駆動している状態かを示す駆動状態データを上記動画送信装置に送信する駆動状態データ送信手段をさらに備え，
上記動画送信装置は，
上記携帯型端末装置の上記駆動状態データ送信手段から送信された駆動状態データを受信する駆動状態データ受信手段をさらに備え，
上記動画送信装置の上記データ量決定手段は，
上記駆動状態データ受信手段によって受信した駆動状態データによって示される駆動状態が，バッテリィ駆動の場合に上記携帯型端末装置のバッテリィの残容量と上記携帯型端末装置において視聴対象動画を再生するときの消費電力とにもとづいて，上記視聴対象動画の単位時間当たりのデータ量を決定し，上記駆動状態データ受信手段によって受信した駆動状態データによって示される駆動状態が交流電源駆動の場合に上記視聴対象動画の単位時間当たりのデータ量を最大のデータ量に決定するものである，
請求項１または２に記載の動画送信システム。
【請求項４】
上記携帯型端末装置は，
上記動画送信装置の上記動画データ送信手段から送信された動画データを受信する動画データ受信手段，および
上記動画データ受信手段によって受信した動画データによって表される動画を再生する動画再生手段を備え，
上記携帯型端末装置の上記残容量検出手段は，
上記動画再生手段における動画の再生中にも一定時間おきに上記バッテリィの残容量を検出するものであり，
上記残容量データ送信手段は，上記残容量検出手段により一定時間おきに検出された上記バッテリィの残容量が一定以上低下している場合に，新たに検出された上記バッテリィの残容量を表すデータを上記動画送信装置に送信するものである，
請求項１から３のうちいずれか一項に記載の動画送信システム。
【請求項５】
上記携帯型端末装置の上記駆動状態データ送信手段は，
上記携帯型端末装置の上記動画再生手段における動画の再生中に上記携帯型端末装置がバッテリィによって駆動している状態から交流電源によって駆動している状態に切り換った場合に切り換ったことを示す駆動状態データを上記動画送信装置に送信するものである，
請求項４に記載の動画送信システム。
【請求項６】
バッテリィによって駆動し，かつ表示装置が設けられている携帯型端末装置と通信可能な動画送信装置において，
上記携帯型端末装置から上記動画送信装置に，上記バッテリィの残容量を表す残容量データおよび視聴対象動画を特定する動画特定データが送信され，
上記携帯型端末装置から送信された残容量データを受信する残容量データ受信手段，
上記携帯型端末装置から送信された動画特定データを受信する動画特定データ受信手段，
上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定するデータ量決定手段，
上記データ量決定手段によって決定された単位時間当たりのデータ量をもつように上記視聴時間の上記視聴対象の動画を表す動画データを変換する変換手段，および
上記変換手段によって単位時間当たりのデータ量が変換された動画データを上記携帯型端末装置に送信する動画データ送信手段，
を備えた動画送信サーバ。
【請求項７】
バッテリィによって駆動し，かつ表示装置が設けられている携帯型端末装置と通信可能な動画送信装置の動作制御方法において，
上記携帯型端末装置から上記動画送信装置に，上記バッテリィの残容量を表す残容量データおよび視聴対象動画を特定する動画特定データが送信され，
残容量データ受信手段が，上記携帯型端末装置から送信された残容量データを受信し，
動画特定データ受信手段が，上記携帯型端末装置から送信された動画特定データを受信し，
データ量決定手段が，上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定し，
変換手段が，上記データ量決定手段によって決定された単位時間当たりのデータ量をもつように上記視聴時間の上記視聴対象の動画を表す動画データを変換し，
動画データ送信手段が，上記変換手段によって単位時間当たりのデータ量が変換された動画データを上記携帯型端末装置に送信する，
動画送信サーバの動作制御方法。
【発明の詳細な説明】
【技術分野】
【０００１】
この発明は，動画送信システムならびに動画送信装置およびその動作制御方法に関する。
【背景技術】
【０００２】
動画送信装置から携帯電話などの携帯型端末装置に動画データを送信することにより携帯型端末装置の表示装置に動画を表示させることができる。携帯型端末装置においては，携帯性という観点からバッテリィ（着脱自在なバッテリィ，着脱不能であっても充電可能なバッテリィ）により駆動されることが多い。バッテリィ駆動の携帯型端末装置において動画を視聴する場合にはバッテリィの低下により最後まで動画を視聴できないことがある。
【０００３】
このために，携帯型端末装置自身がバッテリィの残容量に応じた再生動画のフレーム・レートを調整するものがある（特許文献１）。
【特許文献１】特開平８−９３４７号公報
【０００４】
しかしながら，携帯型端末装置に再生動画のフレーム・レートを調整する機能を持たせるので携帯型端末装置が複雑となってしまう。
【０００５】
また，携帯型端末装置のバッテリィの残容量が所定の閾値以下となった場合にその旨を動画データの送信装置に送信し，送信装置からは動画データの変わりに静止画データを送信するものもある（特許文献２）。
【特許文献２】特開2001-211443号公報
【０００６】
しかしながら，バッテリィの残容量が閾値以下の場合には携帯型端末装置には静止画データが送信されるので，携帯型端末装置において動画を視聴できなくなる。
【０００７】
さらに，携帯型端末装置においてコンテンツを受信した後に，その受信したコンテンツを再生する電池残量が無いと考えられる場合に別のコンテンツを要求するものがある（特許文献３）。
【特許文献３】特開2002-77377号公報
【０００８】
しかしながら，コンテンツを受信後に再度コンテンツを要求して，再びコンテンツを受信するために通信帯域を無駄に使用してしまうこととなる。
【０００９】
さらに，あらかじめ複数の異なるフレーム・レートをもつ複数の動画番組を配信し，受信側で複数の動画番組の中からバッテリィの残容量に応じた動画番組を試聴するものもある（特許文献４）。
【特許文献４】特開2005-184519号公報
【００１０】
しかしながら，複数の動画番組が配信されるために通信帯域を無駄に使用してしまう。
【発明の開示】
【００１１】
この発明は，携帯型端末装置のバッテリィ残量が少なくなっても，携帯型端末装置の構造を複雑化することなく，かつ通信帯域を無駄に使用することなく，動画を視聴できるようにすることを目的とする。
【００１２】
第１の発明は，動画送信装置とバッテリィによって駆動し，かつ表示装置が設けられている携帯型端末装置とを備えた動画送信システムについてのものである。
【００１３】
上記携帯型端末装置は，上記バッテリィの残容量を検出する残容量検出手段，上記残容量検出手段によって検出された残容量を表す残容量データを上記動画送信装置に送信する残容量データ送信手段，および視聴対象動画を特定する動画特定データを上記動画送信装置に送信する動画特定データ送信手段を備えている。
【００１４】
上記動画送信装置は，上記携帯型端末装置の上記残容量データ送信手段から送信された残容量データを受信する残容量データ受信手段，上記携帯型端末装置の上記動画特定データ送信手段から送信された動画特定データを受信する動画特定データ受信手段，上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定するデータ量決定手段，上記データ量決定手段によって決定された単位時間当たりのデータ量をもつように上記視聴時間の上記視聴対象の動画を表す動画データを変換する変換手段，および上記変換手段によって単位時間当たりのデータ量が変換された動画データを上記携帯型端末装置に送信する動画データ送信手段を備えていることを特徴とする。
【００１５】
第１の発明によると，携帯型端末装置のバッテリィの残容量が検出される。検出されたバッテリィの残容量を表すデータおよび視聴対象動画を特定する動画特定データが携帯型端末装置から動画送信装置に送信される。
【００１６】
携帯型端末装置から送信された残容量データおよび動画特定データが動画送信装置において受信されると，動画特定データによって特定される視聴対象動画の視聴時間の間，視聴対象動画を携帯型端末装置において視聴できるように，携帯型端末装置のバッテリィの残容量と携帯型端末装置において視聴対象動画を再生するときの消費電力とにもとづいて視聴対象動画の単位時間当たりのデータ量が決定される。決定されたデータ量をもつように視聴対象動画を表す動画データのデータ量が変換される。データ量が変換された動画データが動画送信装置から携帯型端末装置に送信される。
【００１７】
動画を再生する場合，単位時間当りのデータ量に応じて消費電力が変わる。視聴対象動画の視聴時間の間，視聴対象動画を携帯型端末装置において視聴できるような単位時間当たりのデータ量をもつ動画データが動画送信装置から携帯型端末装置に送信されるので，携帯型端末装置のバッテリィの残容量が少なくても，携帯型端末装置において視聴対象動画を視聴できる。単位時間当たりのデータ量の変換は動画送信装置において行われるので，携帯型端末装置が複雑となることを回避できる。動画全体を表す動画データが複数回携帯型端末装置に送信されないので，通信帯域を無駄に使用してしまうことも未然に防止できる。
【００１８】
上記携帯型端末装置は，上記視聴対象動画の視聴時間を指定する指定手段，および上記指定手段によって指定された視聴時間を表す指定視聴時間データを上記動画送信装置に送信する指定視聴時間データをさらに備えてもよい。上記視聴対象動画の視聴時間は，たとえば，上記携帯型端末装置の上記指定視聴時間データ送信手段から送信された指定視聴時間データによって表される指定視聴時間，上記視聴対象動画の総再生時間またはあらかじめ定められている時間である。
【００１９】
上記携帯型端末装置は，バッテリィによって駆動可能なほか，交流電源によって駆動可能なものでもよい。この場合，上記携帯型端末装置がバッテリィによって駆動している状態か交流電源によって駆動している状態かを示す駆動状態データを上記動画送信装置に送信する駆動状態データ送信手段をさらに備えることとなろう。また，上記動画送信装置は，上記携帯型端末装置の上記駆動状態データ送信手段から送信された駆動状態データを受信する駆動状態データ受信手段をさらに備える。上記動画送信装置の上記データ量決定手段は，たとえば，上記駆動状態データ受信手段によって受信した駆動状態データによって示される駆動状態が，バッテリィ駆動の場合に上記携帯型端末装置のバッテリィの残容量と上記携帯型端末装置において上記視聴対象動画の単位時間当たりのデータ量を決定し，上記駆動状態データ受信手段によって受信した駆動状態データによって示される駆動状態が交流電源駆動の場合に上記視聴対象動画の単位時間当たりのデータ量を最大のデータ量に決定するものとなろう。
【００２０】
携帯型端末装置が交流電源により駆動されている場合には，バッテリィの電力消費を考慮する必要が無いと考えられるので，できるだけ高画質の動画データが携帯型端末装置に送信されるように，単位時間当たりのデータ量が最大のデータ量に決定される。
【００２１】
上記携帯型端末装置は，上記動画送信装置の上記動画データ送信手段から送信された動画データを受信する動画データ受信手段，および上記動画データ受信手段によって受信した動画データによって表される動画を再生する動画再生手段を備えてもよい。この場合，上記携帯型端末装置の上記残容量検出手段は，上記動画再生手段における動画の再生中にも一定時間おきに上記バッテリィの残容量を検出するものとなろう。また，上記残容量データ送信手段は，上記残容量検出手段により一定時間おきに検出された上記バッテリィの残容量が一定以上低下している場合に，新たに検出された上記バッテリィの残容量を表すデータを上記動画送信装置に送信するものとなろう。
【００２２】
動画の再生中に携帯型端末装置のバッテリィの残容量が低下した場合に，視聴対象動画を最後まで視聴できないことがある。視聴対象動画の再生中に一定時間おきにバッテリィの残容量が検出され，再度検出されたバッテリィの残容量を表すデータが携帯型端末装置から動画送信装置に送信される。再度動画送信装置に送信されたバッテリィの残容量を表すデータにもとづいて，動画送信装置において単位時間当たりのデータ量が再度決定される。再度決定された単位時間当たりのデータ量で残りの動画データが動画送信装置から携帯型端末装置に送信される。
【００２３】
上記携帯型端末装置の上記駆動状態データ送信手段は，たとえば，上記携帯型端末装置の上記動画再生手段における動画の再生中に上記携帯型端末装置がバッテリィによって駆動している状態から交流電源によって駆動している状態に切り換った場合に切り換ったことを示す駆動状態データを上記動画送信装置に送信するものでもよい。
【００２４】
動画の再生中に携帯型端末装置が交流電源駆動に切り換えられた場合には，送信した残りの動画データの単位時間当たりのデータ量が最大となるようにデータ量が変換される。単位時間当たりのデータ量が最大となった残りの動画データが動画送信装置から携帯型端末装置に送信される。
【００２５】
第２の発明は，上記動画送信システムを構成する動画送信装置についてのものである。すなわち，バッテリィによって駆動し，かつ表示装置が設けられている携帯型端末装置と通信可能な動画送信装置において，上記携帯型端末装置から上記動画送信装置に，上記バッテリィの残容量を表す残容量データおよび視聴対象動画を特定する動画特定データが送信され，上記携帯型端末装置から送信された残容量データを受信する残容量データ受信手段，上記携帯型端末装置から送信された動画特定データを受信する動画特定データ受信手段，上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定するデータ量決定手段，上記データ量決定手段によって決定された単位時間当たりのデータ量をもつように上記視聴時間の上記視聴対象の動画を表す動画データを変換する変換手段，および上記変換手段によって単位時間当たりのデータ量が変換された動画データを上記携帯型端末装置に送信する動画データ送信手段を備えていることを特徴とする。
【００２６】
第２の発明は，バッテリィによって駆動し，かつ表示装置が設けられている携帯型端末装置と通信可能な動画送信装置の動作制御方法も提供している。すなわち，この方法は，上記携帯型端末装置から上記動画送信装置に，上記バッテリィの残容量を表す残容量データおよび視聴対象動画を特定する動画特定データが送信され，残容量データ受信手段が，上記携帯型端末装置から送信された残容量データを受信し，動画特定データ受信手段が，上記携帯型端末装置から送信された動画特定データを受信し，データ量決定手段が，上記動画特定データ受信手段において受信した動画特定データによって特定される視聴対象動画の視聴時間の間，上記視聴対象動画を上記携帯型端末装置において視聴できるように，上記残容量データ受信手段によって受信した残容量データによって表される上記携帯型端末装置のバッテリィの残容量と上記携帯型端末装置において視聴対象動画を再生するときの消費電力とにもとづいて，上記視聴対象動画の単位時間当たりのデータ量を決定し，変換手段が，上記データ量決定手段によって決定された単位時間当たりのデータ量をもつように上記視聴時間の上記視聴対象の動画を表す動画データを変換し，動画データ送信手段が，上記変換手段によって単位時間当たりのデータ量が変換された動画データを上記携帯型端末装置に送信するものである。
【００２７】
第２の発明によっても，携帯型端末装置のバッテリィ残量が少なくなっても，携帯型端末装置の構造が複雑化することなく，かつ通信帯域を無駄に使用することなく，動画を視聴できるようになる。
【実施例】
【００２８】
図１は，この発明の実施例を示すもので，動画送信システムの概要を示している。
【００２９】
動画送信システムは，互いに通信可能な携帯型端末装置１と動画送信装置20とから構成されている。
【００３０】
携帯型端末装置１には表示装置が設けられており，バッテリィにより駆動する。携帯型端末装置１から動画送信装置20にバッテリィの残容量，所望の動画を特定するデータが送信される。すると，動画送信装置20において，携帯型端末装置１のバッテリィの残容量に応じて，所望の動画がすべて視聴できるようなフレーム・レートに動画データが変換される。フレーム・レートが変換された動画データが動画送信装置20から携帯型端末装置１に送信される。消費電力を抑えるようなフレーム・レートをもつ動画データが携帯型端末装置１に送信されるので，携帯型端末装置１のバッテリィの残容量が少なくなっても所望の動画を視聴できる。とくに，フレーム・レートの変換は携帯型端末装置１で行われるのではなく動画送信装置20において行われるので，携帯型端末装置１の構成が複雑となってしまうことを回避できる。より詳しくは以下の説明によって理解できよう。
【００３１】
図２は，携帯型端末装置１の電気的構成を示すブロック図である。
【００３２】
携帯電話のような携帯型端末装置１の全体の動作は，ＣＰＵ10によって統括される。
【００３３】
携帯型端末装置１には，キーボード，テン・キーパッドなどの入力装置12が設けられている。入力装置12における操作信号はＣＰＵ10に入力する。また，ＣＰＵ10には動画を再生するときに消費電力を算出するための消費電力パラメータほかの所定のデータ等が記憶されるメモリ11が接続されている。
【００３４】
携帯型端末装置１には着脱自在であり，かつ充電可能なバッテリィ（着脱自在でなくともよいし，充電可能でなくともよい）６が設けられている。バッテリィ６の出力電圧は，電源回路７に供給される。電源回路７によって，携帯型端末装置１の各回路に駆動電源が供給される。バッテリィ６により携帯型端末装置１が駆動することとなる。
【００３５】
携帯型端末装置１には，ＡＣアダプタ３が接続されているコンセント・プラグ２が着脱自在に接続されている。コンセント・プラグ２がコンセント（図示略）に差し込まれることにより，ＡＣアダプタ３により交流電圧が直流電圧に変換されてDC-DCコンバータ４に与えられる。DC-DCコンバータ４により降圧された直流電圧が電源回路７に供給される。電源回路７によって，携帯型端末装置１の各回路に駆動電源が供給される。このように交流電源によっても携帯型端末装置１が駆動する。交流電源により携帯型端末装置１が駆動している場合には，バッテリィ６から電源回路７への電圧の供給は停止しているのはいうまでもない。DC-DCコンバータ４から出力する直流電圧は，充電回路５にも供給される。充電回路５によりバッテリィ６が充電される。
【００３６】
携帯型端末装置１には電源状態／残容量検出回路８が設けられている。この電源状態／残容量検出回路８により，携帯型端末装置１がバッテリィ６により駆動しているのか交流電圧により駆動しているのかを示す電源状態が検出される。また，携帯型端末装置１がバッテリィ６により駆動している場合には，電源状態／残容量検出回路８により，そのバッテリィ６の残容量が検出される。
【００３７】
電源状態／残容量検出回路８により検出された電源状態およびバッテリィ６の残容量をそれぞれ表すデータは送信回路９によって動画送信装置10に送信される。また，入力装置12によって，所望の動画を特定する動画特定データ（ファイル名など）が入力される。入力された動画特定データおよび消費電力パラメータも送信回路９から動画送信装置10に送信される。
【００３８】
電源状態を表すデータ，バッテリィ６の残容量を表すデータ，動画特定データ，消費電力パラメータが動画送信装置10に送信されると，電源状態，バッテリィ６に応じて消費電力が抑えられるように，動画特定データによって特定される動画のフレーム・レートが動画送信装置10において決定される。決定されたフレーム・レートをもつ動画データが動画送信装置10から携帯型端末装置１に送信される。
【００３９】
動画送信装置10から携帯型端末装置１に送信された動画データは，受信装置13において受信される。受信された動画データは動画再生回路14において再生されることにより，表示装置15の表示画面に動画が表示される。
【００４０】
図３は，動画送信装置の電気的構成を示すブロック図である。
【００４１】
携帯型端末装置１から送信された動画特定データ，消費電力パラメータ，電源状態を表すデータ，バッテリィ６の残容量を表すデータは受信回路21において受信される。受信回路21において受信された動画データは，動画読取り回路22に与えられる。動画読取り回路22によって，動画特定データによって特定される動画データが，多数の動画データが格納されている動画データベース23から読み取られる。読み取られた動画データはフレーム・レート変換回路25に入力する。
【００４２】
受信回路21において受信した動画特定データ，消費電力パラメータ，電源状態を表すデータ，バッテリィ６の残容量を表すデータは，フレーム・レート算出回路24に入力する。フレーム・レート算出回路24において，電源状態，バッテリィ６に応じて消費電力が抑えられるように，動画特定データによって特定される動画のフレーム・レートが算出される。算出されたフレーム・レートを表すデータはフレーム・レート変換回路25に入力する。
【００４３】
フレーム・レート変換回路25において，動画データベース23から読み取られた動画データのフレーム・レートが，フレーム・レート算出回路24によって算出されたフレーム・レートとなるように変換される。フレーム・レートが変換された動画データが送信回路26によって携帯型端末装置１に送信される。
【００４４】
図４および図５は携帯型端末装置１の処理手順を示すフローチャート，図６は動画送信装置10の処理手順を示すフローチャートである。
【００４５】
まず，携帯型端末装置１の入力装置12を用いて視聴対象動画が指定される（図４ステップ31）。つづいて電源状態が検出される（図４ステップ32）。
【００４６】
電源状態がＡＣ電源ではない場合には（図４ステップ33でＮＯ），携帯型端末装置１はバッテリィ６によって駆動させられている。すると，バッテリィ６の残容量が検出される（図４ステップ34）。携帯型端末装置１がバッテリィ６により駆動させられている場合には，電源状態，バッテリィ６の残容量，消費電力パラメータ，動画特定データなどが動画送信装置10に送信される（図４ステップ35）。電源状態がＡＣ電源の場合には（図４ステップ33でＹＥＳ），バッテリィ６の残容量を表すデータは動画送信装置10に送信されずに，電源状態を表すデータ，消費電力パラメータ，動画特定データが動画送信装置10に送信される（ステップ36）。
【００４７】
携帯型端末装置１から送信された電源状態を表すデータ等が動画送信装置20において受信されると（図６ステップ61），電源状態を表すデータにもとづいて，携帯型端末装置１がＡＣ電源により駆動されているかどうかが確認される（図６ステップ62）。
【００４８】
携帯型端末装置１がＡＣ電源により駆動されていない場合には（図６ステップ62でＮＯ），バッテリィ６により駆動されているからそのバッテリィ６の残容量によってはバッテリィ６の残容量がなくなり視聴対象動画を最後まで視聴できないことがある。このために，視聴対象動画を最後まで視聴できるように消費電力が抑えられるような動画のフレーム・レートが決定される（図６ステップ63）。このフレーム・レートの決定処理について詳しくは後述する。携帯型端末装置１がＡＣ電源により駆動されている場合には（図６ステップ62でＹＥＳ），バッテリィ６の残容量がなくなり視聴対象動画を最後まで視聴できないということはないから視聴対象動画のフレーム・レートが携帯型端末装置１の受信能力，動画送信装置の送信能力，ネットワークの送信能力などで決定される最大のフレーム・レートに決定される（図６ステップ64）。
【００４９】
動画データベース23に格納されている多数の動画データの中から動画特定データによって特定される視聴対象動画データが読み取られる（図６ステップ65）。読み取られた視聴対象動画データが，決定されたフレーム・レートとなるようにフレーム・レートの変換処理が行われる（図６ステップ66）。フレーム・レートが変換された視聴対象動画データが動画送信装置20から携帯型端末装置１に送信される（図６ステップ67）。
【００５０】
動画送信装置10から視聴対象動画データが送信されると，その送信された視聴対象動画データが携帯型端末装置１において受信される（図４ステップ37）。すると，受信した視聴対象動画データが再生されて表示装置に表示される（図４ステップ39）。視聴対象動画の再生が終了するまで視聴対象動画データの受信および再生が繰り返される（図４ステップ40）。
【００５１】
また，動画の再生と同時に一定時間経過したかどうかが周期的に検出される（図４ステップ38）。一定時間経過すると（図４ステップ51），再び電源状態が検出される（図５ステップ51）。携帯型端末装置１の駆動がバッテリィ６からＡＣ電源に切り換ったかどうかが確認される（図５ステップ52）。
【００５２】
バッテリィ６からＡＣ電源に切り換ったときには（図５ステップ52でＹＥＳ），その電源状態を表すデータが携帯型端末装置１から動画送信装置10に送信される（図５ステップ57）。携帯型端末装置１の駆動がＡＣ電源に切り換ったので，視聴対象動画のフレーム・レートが最大フレーム・レートに変換される（図６ステップ66）。まだ送信されていない視聴対象動画の残りの部分を表わす動画データが最大フレーム・レートで携帯型端末装置１に送信される（図６ステップ67）。
【００５３】
携帯型端末装置１の駆動がバッテリィ６からＡＣ電源に切り換っていない場合には（図６ステップ52でＮＯ），バッテリィ６により駆動されているかどうかが確認される（図５ステップ53）。バッテリィ６により駆動されている場合には（図５ステップ53でＹＥＳ），バッテリィ６の残容量が検出される（図５ステップ54）。バッテリィ６の残容量が前回検出された残容量よりも一定量以上低下していると（図５ステップ55でＹＥＳ），バッテリィ６の残容量が足りずに現在のフレーム・レートでは視聴対象動画を最後まで視聴できないことがある。このために電源状態および残容量をそれぞれ表すデータが携帯型端末装置１から動画送信装置10に送信される（図５ステップ56）。電源状態および残容量をそれぞれ表すデータが動画送信装置10において受信されると，視聴対象動画の残りの部分をすべて視聴できるように視聴対象動画のフレーム・レートが変換される（ステップ66）。残りの視聴対象動画データが再び変換されたフレーム・レートで動画送信装置10から携帯型端末装置１に送信される（図６ステップ67）。
【００５４】
フレーム・レートが再び変換された視聴対象動画データが携帯型端末装置１において受信されると，そのフレーム・レートで視聴対象動画が再生されることとなる（図４ステップ39）。
【００５５】
上述の実施例においては，視聴対象動画の視聴時間を特定していないが，視聴時間（視聴対象動画の再生時間範囲）を，携帯型端末装置１の入力装置12を用いて指定することもできる。視聴時間が指定された場合には，その視聴時間を表すデータも送信装置９から動画送信装置10に送信される。動画送信装置10においては指定された時間範囲の動画を切り出して決定されたフレーム・レートに変換して携帯型端末装置１に送信することとなる。
【００５６】
図６ステップ63におけるフレーム・レートの決定は，次のようにして行うことができる。
【００５７】
フレーム・レートをｒ，携帯型端末装置１においてフレーム・レートｒの動画を視聴したときの固有の消費電力パラメータをａ，ｂとすると，フレーム・レートｒの動画を視聴したときの消費電力ｐは式１によって表される。
【００５８】
ｐ＝ａ×ｒ＋ｂ・・・式１
【００５９】
バッテリィ６の残容量をＢ，視聴対象動画の総再生時間をＴ０とし，視聴対象動画の最低フレーム・レートをＲmin，最大フレーム・レートをＲminとすると，視聴時間の指定がない場合には，フレーム・レートrは式２によって表される。
【００６０】
r＝min［max｛（Ｂ／Ｔ０−ｂ）／ａ，Ｒmin｝,Ｒmax］・・・式２
【００６１】
携帯型端末装置１において視聴対象時間Ｔ１が指定されている場合には，その視聴対象時間Ｔ１と総再生時間Ｔ０との短い方の時間が式３にもとづいて再生時間Ｔｍとして決定される。この決定された再生時間Ｔｍを用いて式４に示すようにフレーム・レートｒが決定される。
【００６２】
Ｔｍ＝min（Ｔ０，Ｔ１）・・・式３
r＝min［max｛（Ｂ／Ｔｍ−ｂ）／ａ，Ｒmin｝，Ｒmax］・・・式４
【００６３】
ストリーミングの動画など総再生時間Ｔ０をあらかじめ定めることができない場合に，視聴対象時間（指定視聴時間）Ｔ１が指定されているときには，式５に示すようにフレーム・レートｒが決定される。
【００６４】
r＝min［max｛（Ｂ／Ｔ１−ｂ）／ａ，Ｒmin｝，Ｒmax］・・・式４
【００６５】
ストリーミングの動画など総再生時間Ｔ０をあらかじめ定めることができない場合に，視聴対象時間Ｔ１が指定されていないときには，あらかじめ定められている時間をＴ２として式６に示すようにフレーム・レートｒが決定される。
【００６６】
r＝min［max｛（Ｂ／Ｔ２−ｂ）／ａ，Ｒmin｝，Ｒmax］・・・式５
【００６７】
上述した実施例においては，消費電力パラメータが携帯型端末装置１から動画送信装置10に送信されているが，消費電力パラメータを送信しなくとも動画送信装置10において，携帯型端末装置１の機種ごとに消費電力パラメータをあらかじめ記憶しておくことにより，携帯型端末装置１の機種を示すデータが動画送信装置10に送信されるようにすることにより，その機種の消費電力パラメータが動画送信装置10において分かり，その消費電力パラメータを用いて上述したようにフレーム・レートを決定できる。
【００６８】
携帯型端末装置１または動画送信装置10において，式１で示されるようなモデル（消費電力と消費電力パラメータとの関係）を扱えない場合には，扱えるようなモデル（たとえば，線形モデルは扱えるが非線形モデルは扱えないなど）が選択されるようにネゴシエーションを行うようにしてもよい。さらに，消費電力パラメータａ，ｂを過去の履歴を用いて調整するようにしてもよい。これにより，携帯型端末装置１の製造上のばらつき，計時変化に対応できる。また，視聴対象動画の種類（スポーツ，ニュースなど）に応じて消費電力パラメータを調整するようにしてもよい。たとえば，スポーツなどの場合にはフレーム・レートができるだけ大きくされ，ニュースなどの場合にはフレーム・レートができるだけ小さくされよう。もっとも，その逆であってもよいのはいうまでもない。
【００６９】
上述の実施例においては，フレーム・レートを変更することにより，単位時間当たりのデータ量を変更しているが，フレーム・レートを変更するだけでなく，ビット・レートの変更，動画を構成する各駒ごとのデータ量の変更をするようにしてもよい。
【図面の簡単な説明】
【００７０】
【図１】動画送受信システムの概要を示している。
【図２】携帯型端末装置の電気的構成を示すブロック図である。
【図３】動画送信装置の電気的構成を示すブロック図である。
【図４】携帯型端末装置の処理手順の一部を示すフローチャートである。
【図５】携帯型端末装置の処理手順の一部を示すフローチャートである。
【図６】動画送信装置の処理手順を示すフローチャートである。
【符号の説明】
【００７１】
１  携帯型端末装置
６  バッテリィ
８  電源状態／残容量検出回路
９，26  送信回路
10  ＣＰＵ
13，21  受信回路
20  動画送信装置
24  フレーム・レート算出回路（データ量決定手段）
25  フレーム・レート変換回路
【図１】
2009044585.tif 000003
【図２】
2009044585.tif 000004
【図３】
2009044585.tif 000005
【図４】
2009044585.tif 000006
【図５】
2009044585.tif 000007
【図６】
2009044585.tif 000008